(57)【特許請求の範囲】
【請求項１】
バッテリーモジュールであって、２つ又はそれ以上のバッテリーセルのそれぞれが前記２つ又はそれ以上のバッテリーセルのそれぞれの一端部又は対向端部に形成されている電極端子を有する前記２つ又はそれ以上のバッテリーセルが、前記２つ又はそれ以上のバッテリーセルが電気的に互いに接続される状態になるように積層される構造で構成され、
ここで、前記２つ又はそれ以上のバッテリーセルの前記電極端子は、プレート形状の導電性部材から形成され、
前記２つ又はそれ以上のバッテリーセルの前記電極端子は、前記２つ又はそれ以上のバッテリーセルの１つのバッテリーセルにおける前記電極端子が前記２つ又はそれ以上のバッテリーセルのもう１つのバッセリーセルにおける前記電極端子と緊密に接触して前記２つ又はそれ以上のバッテリーセルの間の電気的接続領域で曲げ接続部分を形成するように折りたたまれ、及び
前記曲げ接続部分は、前記曲げ接続部分に取り付けられた電圧検出部材により包囲されることを特徴とするバッテリーモジュール。
【請求項２】
前記バッテリーセルがプレート形状のバッテリーセルであることを特徴とする請求項１に記載のバッテリーモジュール。
【請求項３】
前記プレート形状のバッテリーセルは二次電池であり、当該二次電池は、電極アセンブリが、樹脂層及び金属層を含むラミネートシートから形成されるバッテリーケースに取り付けられ、且つ、アルミニウムから製造されるカソードリード及び銅から製造されるアノードリードが前記バッテリーケースの一端部又は対向端部から突出する構造で構成され、
前記電極端子は、前記カソードリード及び前記アノードリードを含むことを特徴とする請求項２に記載のバッテリーモジュール。
【請求項４】
前記二次電池は、リチウム二次電池であることを特徴とする請求項３に記載のバッテリーモジュール。
【請求項５】
前記バッテリーセルの間の前記電気的接続領域は、バッテリーセル間の直列接続領域であることを特徴とする請求項１に記載のバッテリーモジュール。
【請求項６】
前記電極端子は、前記曲げ接続部分で互いに溶接により接続されることを特徴とする請求項１に記載のバッテリーモジュール。
【請求項７】
前記曲げ接続部分は、相対的に低い延性を示す電極端子が内側電極端子を構成し、且つ相対的に高い延性を示す電極端子が外側電極端子を構成する構造に、構成されることを特徴とする請求項１に記載のバッテリーモジュール。
【請求項８】
前記外側電極端子は、銅から製造され、前記内側電極端子は、アルミニウムから製造されることを特徴とする請求項７に記載のバッテリーモジュール。
【請求項９】
前記バッテリーセルは、前記曲げ接続部分が地面に垂直である状態に積層されることを特徴とする請求項１に記載のバッテリーモジュール。
【請求項１０】
前記電圧検出部材は、曲げ接続部分の対向側部及び曲げ接続部分の上側端部のうちの少なくとも一部を包囲するように構成された本体部分、曲げ接続部分の対向側部と本体部分との間に配置された弾性接続部分、及び前記本体部分のトップから延在する直線状接続部分を備えることを特徴とする請求項９に記載のバッテリーモジュール。
【請求項１１】
前記弾性接続部分は、繰り返し曲げられて２つ又はそれ以上の接触点を曲げ接続部分の側部と本体部分に形成するリーフスプリングであることを特徴とする請求項１０に記載のバッテリーモジュール。
【請求項１２】
前記弾性接続部分は、前記曲げ接続部分の対向側に接続される２つの弾性接続部分を備えることを特徴とする請求項１０に記載のバッテリーモジュール。
【請求項１３】
前記電圧検出部材は、さらに、前記本体部分の外側に取り付けられる絶縁キャップを備えることを特徴とする請求項１０に記載のバッテリーモジュール。
【請求項１４】
接続ワイヤは前記絶縁キャップのトップに配置されており、前記接続ワイヤは、前記曲げ接続部分に電気的に接続されることを特徴とする請求項１３に記載のバッテリーモジュール。
【請求項１５】
前記絶縁キャップは、前記本体部分の外側形状に対応する構造で構成され、前記絶縁キャップは、前記本体部分が前記曲げ接続部分に取り付けられる状態で、前記本体部分の外側にさらに取り付けられることを特徴とする請求項１３に記載のバッテリーモジュール。
【請求項１６】
前記直線状接続部分は、ワイヤ接続部分であることを特徴とする請求項１に記載のバッテリーモジュール。
【請求項１７】
バッテリーセルがセルカバーにより包囲されて、ユニットモジュールを構成して、２つ又はそれ以上のユニットモジュールがバッテリーモジュールを構成するように積層されるように、２つ又はそれ以上のバッテリーセルは、前記セルカバーに取り付けられることを特徴とする請求項１に記載のバッテリーモジュール。
【請求項１８】
請求項１によるバッテリーモジュールを備えるバッテリーパック。
【請求項１９】
前記バッテリーパックは、電気自動車、ハイブリッド電気自動車、プラグインハイブリッド電気自動車、電気オートバイ、又は電気自転車のための電源として使用されることを特徴とする請求項１８に記載のバッテリーパック。
【発明の詳細な説明】
【技術分野】
【０００１】
本願発明は、電圧検出部材及びこれを含んだバッテリーモジュールに関し、より詳しくは、プレート形状のバッテリーセルであって、それぞれのバッテリーセルがそれらの一端部又は対向端部に形成される電極端子を有しており、該バッテリーセルが互いに電気的に接続された状態に積層され、ここで、バッテリーセルの間の電気的接続領域で曲げ接続部分を形成するために電極端子は互いに緊密に接触し、該曲げ接続部分は、該曲げ接続部分に取り付けられた電圧検出部材により包まれるように、バッテリーセルの電極端子は折り畳まれている。
【背景技術】
【０００２】
最近、充電したり放電したりすることができる、二次電池が、無線モバイル装置向けのエネルギー源として広く使用されてきている。また、二次電池は、化石燃料を使用する現存のガソリン及びディーゼル車両により引き起こされる、例えば大気汚染のような問題を解決するために発展してきている、電気自動車（ＥＶ）及びハイブリッド電気自動車（ＨＥＶ）向けの電源として、かなり注目をひきつけている。
【０００３】
小型のサイズのモバイル装置は、それぞれの装置に１つ又は幾つかのバッテリーセルを使用する。一方、例えば車両のような、中型又は大型のサイズの装置は、互いに電気的に接続された複数のバッテリーセルを有する中型又は大型のサイズのバッテリーモジュールを使用する。中型又は大型のサイズの装置のためには高い電力及び大きな容量が必要であるからである。
【０００４】
好ましくは、中型又は大型のサイズのバッテリーモジュールは、可能な限り小さな寸法且つ重量を有するように製造される。この理由のため、角柱状のバッテリー又はポーチ形状のバッテリーであって、高い集積度で積層されることができ、容量比で少ない重量を有しているものが、中型又は大型のサイズのバッテリーモジュールのバッテリーセルとして通常使用される。特に、かなりの興味が現在、被覆部材としてアルミニウムラミネートを使用する、ポーチ形状のバッテリーに集中されている。それは、ポーチ形状のバッテリーの重量は少なく、ポーチ形状のバッテリーの製造コストは低いからである。
【０００５】
図１は、通常のポーチ形状のバッテリーを典型的に示す斜視図である。図１に示されているポーチ形状のバッテリー１０は、２つの電極リード１１及び１２がバッテリー本体１３の上側及び下側端部からそれぞれ突出しており、一方で電極リード１１及び１２は、互いに対向している。被覆部材１４は、上側及び下側被覆部分を含む。すなわち、被覆部材１４は、２ユニット部材である。（示されていない）電極アセンブリは、被覆部材１４の上側及び下側被覆部分の間で規定されている受容部分に受容される。反対側１４ｂ及び上側及び下側端部１４ａ及び１４ｃであって、被覆部材１４の上側及び下側被覆部分の接触領域は、互いに結合され、それによりポーチ形状のバッテリー１０は製造される。被覆部材１４は、樹脂層／金属フィルム層／樹脂層のラミネート構造で構成される。結果として、互いに接触している、被覆部材１４の上側及び下側被覆部分の対向側１４ｂ及び上側及び下側端部１４ａ及び１４ｃを結合することは可能であり、互いにそれらの樹脂層を溶接するように被覆部材１４の上側及び下側被覆部分の対向側１４ｂ及び上側及び下側端部１４ａ及び１４ｃに熱及び圧力を加えることにより互いに結合することが可能である。場合によっては、被覆部材１４の上側及び下側被覆部分の対向側１４ｂ及び上側及び下側端部１４ａ及び１４ｃは、結合剤を使用して互いに結合されることができる。被覆部材１４の対向側１４ｂのために、被覆部材１４の上側及び下側被覆部分の同じ樹脂層が互いに直接接触して、これにより、被覆部材１４の対向側１４ｂで均一な密閉が溶接により達成される。被覆部材１４の上側及び下側端部１４ａ及び１４ｃのため、一方、電極リード１１及び１２は、被覆部材１４の上側及び下側端部１４ａ及び１４ｃから突出する。この理由のため、被覆部材１４の上側及び下側被覆部分の上側及び下側端部１４ａ及び１４ｃは、互いに熱的に溶接されており、一方フィルム形状の密閉部材１６は、電極リード１１及び１２並びに被覆部材１４の間に置かれて、リード１１及び１２の厚み及び電極リード１１及び１２並びに被覆部材１４の間の材料の違いを考慮して、被覆部材１４の密閉性を増大するようにしている。
【０００６】
バッテリーモジュールは、互いに結合された複数のバッテリーセルを含んだ構造的本体であり、その結果として、過電圧、過電流、及び過熱が幾つかのバッテリーセル中に起こるとき、バッテリーモジュールの安全性及び稼動効率が、低下されうる。結果的に、過電圧、過電流、及び過熱を検出するための検出ユニットが必要とされる。例えば、電圧センサー又は温度センサーは、バッテリーセルに接続されて、即時に又は予め定められた時間間隔でバッテリーセルの稼動を検出及び制御するようにする。しかしながら、そのような検出ユニットの取り付け又は接続は、バッテリーモジュールのアセンブリを複雑化する。さらに、検出ユニットを取り付け又は接続するために必要な複数のワイヤのために、回路の短絡の発生の可能性が増大する。
【０００７】
具体的には、いくつかの従来技術では、バッテリーモジュールであって、電圧センサーが、スプリングを経由した点接触方法で、バッテリーセルの電極リードに接触して、バッテリーセルの電圧を検出するもの、電圧センサーがボルトとリベットを経由してバッテリーセルの電極リードに接触するもの、又は電圧センサーが溶接によりバッテリーセルの電極リードに接続されるものを提案している。例えば、特許文献１（特開２００５−１１６４４０号公報）は、複数の単電池が積層され、単電池の電圧を検出するために複数の電圧検出端子が、単電池の積層方向に配置され、そして電圧検出端子は、外部装置に電圧検出端子を束で接続するための電圧検出線引出手段と共に備えられるような構造に構成された組電池を開示する。
【０００８】
しかしながら、上記刊行物において、電圧検出端子は、超音波溶接により、それぞれの単電池の電極タブに電気的に接続されている。結果として、それぞれの単電池の電極タブは、変形されうる。また、電気的接続のため上記部材が結合され、溶接され、又は半田付けされる空間が必要とされ、結果として、システムの全体のサイズが増大されることになり、それは好ましくない。結果的に、よりコンパクトなサイズを有し且つ高い構造的安定性を示すバッテリーモジュールの高い必要性がある。
【０００９】
加えて、例えば車両のような、装置にとって、例えば、振動又は衝撃のような外部力が連続的に加わると、電気的接続領域での接触抵抗の増大は、不安定な出力及び回路の短絡の発生を引き起こしうる。また、検出の失敗が、長期間のバッテリーモジュールの使用中に発生した水分の蓄積により、発生しうる。
【先行技術文献】
【特許文献】
【００１０】
【特許文献１】特開２００５−１１６４４０号公報
【発明の概要】
【発明が解決しようとする課題】
【００１１】
したがって、本願発明は、上記の問題及びまだ解決されていない他の技術的問題を解決するためになされた。
【００１２】
具体的には、電圧検出部材が表面接触方法で複数の位置にバッテリーセルの電極端子を折り曲げることにより構成される曲げ接続部分に接触して、それにより稼動及び測定の信頼性を改善する構造に構成されたバッテリーモジュールを提供することが本願の目的である。
【００１３】
電圧検出部材がバッテリーモジュールの上側端部に取り付けられて、それにより水分の蓄積を防止する構造に構成されるバッテリーモジュールを提供することが本願の別の目的である。
【課題を解決するための手段】
【００１４】
本願発明の一態様に従って、上述及び他の目的が、２つ又はそれ以上のバッテリーセルであって、そのバッテリーセルのそれぞれがそれらの一端部又は対向端部に形成されている電極端子を有するものは、バッテリーセルが電気的に互いに接続される状態になるように積層されて、ここで、バッテリーセルの電極端子は、プレート形状の導電性部材から形成され、バッテリーセルの電極端子は、電極端子が互いに緊密に接触してバッテリーセルの間の電気的接続領域で曲げ接続部分を形成し、そして曲げ接続部分が曲げ接続部分に取り付けられた電圧検出部材により包囲されるように折りたたまれている。
【００１５】
通常、バッテリーモジュールは、バッテリーセルの電圧を測定するために電圧検出部材がバッテリーセルの電極端子と点接触の状態にするように、電圧検出部材がスプリングを経由して又は溶接によりバッテリーセルに接続される構造に構成される。しかしながら、この構造において、測定の信頼性は、接触抵抗の変化により、悪化させられる。加えて、バッテリーモジュールを製造する工程が複雑化される。
【００１６】
一方、本願発明によるバッテリーモジュールは、バッテリーセルの電極端子が折りたたまれて曲げ接続部分を形成して、そして曲げ接続部分が電圧検出部材により包囲されるように電圧検出部材が曲げ接続部分に取り付けられる構造で構成される。その結果、この接続構造は非常に安定しており、測定の信頼性は高く、製造工程は単純化され、そして優秀な耐久性が示される。したがって、本願発明によるバッテリーモジュールにおいて、上記のような特定の形態に構成された、電極接続部分及び電圧検出手段を準備することによりバッテリーセルの電圧を効果的に測定することが可能になる。
【００１７】
バッテリーセルのそれぞれは、プレート形状のバッテリーセルであることが好ましい。プレート形状のバッテリーセルの例は、電極アセンブリが樹脂層及び金属層を含むラミネートシートから形成されたバッテリーケース中に取り付けられ、そしてアルミニウムから作られたカソードリードと、銅から作られたアノードリードとが、バッテリーケースの一端部又は対向端部から突出する、ような構造に構成された二次電池であることができる。特に、バッテリーセルのそれぞれは、アルミニウムから作られたカソードリード及び銅から作られたアノードリードがそれぞれのバッテリーセルの一端部又は対向端部から突出するような構造に構成されることができる。
【００１８】
電極アセンブリは、カソードリード及びアノードリードが、電極アセンブリが充電及び放電されるように、セパレーターがカソードリードとアノードリードの間に配置される状態に積層される。例えば、電極アセンブリは、ゼリーロール型構造、積層型構造、又はゼリーロール及び積層型構造に構成されることができる。より詳細には、上述の構造の二次電池は、リチウム二次電池である。
【００１９】
バッテリーセルの間の電気的接続領域は、バッテリーセルの間の並列接続領域又はバッテリーセルの間の直列接続領域であるとすることができる。好ましくは、バッテリーセルの間の電気接続領域は、バッテリーセルの間の直列接続領域である。
【００２０】
曲げ接続部分で、電極端子は、様々な方法で互いに接続されることができる。好ましくは、電極端子は、溶接により曲げ接続部分で互いに接続される。この場合において、電極端子は、溶接の後、曲げ接続部分を形成するために、折り曲げられることができる。代替的に、電極端子が曲げ接続部分を形成するために折りたたまれる状態になるように、電極端子は溶接により互いに接続されることができる。
【００２１】
好ましい実施例においては、相対的に低い延性を示す電極端子は内側電極端子を構成し、相対的に高い延性を示す電極端子は外側電極端子を構成する構造で、曲げ接続部分は構成されることができる。延性は、金属材料の伸びる特性を意味する。すなわち、内側電極端子よりも高い延性を有する外側電極は、外側電極端子が内側電極端子を囲むように折りたたまれる。結果として、内側電極端子は、外側電極端子により保護される。加えて、曲げ接続部分は、それぞれの電極端子の厚さの４倍に等しい厚さを有している。結果として、電極端子に対するダメージは効果的に予防される。例えば、外側電極端子は、相対的に高い延性を示す銅から製造されることができ、内側電極端子は、銅よりも低い延性を示すアルミニウムから製造されることができる。
【００２２】
一方、バッテリーセルにとっては、電圧検出手段がバッテリーセルの電圧を効果的に測定するようにバッテリーセルに取り付けられるために、バッテリーセルの曲げ接続部分は地面に垂直である状態に積層されることが好ましい。
【００２３】
上述の構造において、電圧検出部材は、曲げ接続部分の上側部分に取り付けられる。結果として、外部回路に対する接続が容易に達成され、そして、加えて、長期間のバッテリーモジュールの使用中に、電圧検出部材及び曲げ接続部分で生成されて凝縮された水分が重力により地面に落ちて、その結果、水分が電圧検出部材及び曲げ接続部分で蓄積されることを防止することにより、検出失敗の発生を効果的に防止することが可能になる。
【００２４】
上述の効果を示す能力のある電圧検出部材の好ましい実施例は、曲げ接続部分の対向側且つ曲げ接続部分の上側端部の少なくとも部分を包囲する本体部と、曲げ接続部分の側部と本体部分との間に配置された弾性接続部分、本体部分のトップから延在する直線状接続部分を含むことができる。
【００２５】
すなわち、バッテリーセルの曲げ接続部分及び電圧検出部材の弾性接続部分の間の接触が、弾性的に達成され、それにより、電圧検出部材の曲げ接続部分への安定な取り付けと接続を確保する。結果的に、簡単な組立が可能であり、バッテリーセルの効果的な電圧測定が可能である。
【００２６】
上述の構造において、弾性的な接続部分が繰り返し曲げられて、２つ又はそれ以上の接触点を、曲げ接続部分の側部と本体部分とで形成する構造に、好ましくは構成される。例えば、弾性的な接続部分は、繰り返し曲げられたリーフスプリングであることができる。すなわち、バッテリーセルの電圧は、２つ又はそれ以上の接触点で測定され、それにより、電圧検出部材の接触信頼性を顕著に改善する。
【００２７】
好ましくは、弾性接続部分は、曲げ接続部分の両側に接続された２つの弾性接続部分を含む。結果的に、複数の接触点が提供され、そして、加えて、２つの弾性接続部分を含む電圧検出部材が曲げ接続部分に取り付けられ、一方、電圧検出部材の２つの弾性接続部分が弾性的に、曲げ接続部分の両側を押圧する。結果として、電圧検出部材と曲げ接続部分の間の電気接続を溶接なしに容易に達成することが可能になる。
【００２８】
電圧検出部材は、本体部分の外側に取り付けられた絶縁キャップをさらに含むことができる。絶縁キャップは、曲げ接続部分に外側から取り付けられた電圧検出部材を保護し、それにより回路の短絡及び曲げ接続部分の変形を防ぐ。
【００２９】
上述の構造において、絶縁キャップは、接続ワイヤが絶縁キャップのトップで配置される構造の曲げ接続部分に接続されることができる。前に記載したように、この構造は、長期間のバッテリーモジュールの使用中発生した水分によっては影響されず、そこで、検出失敗の発生を効果的に防ぐことが可能になる。
【００３０】
絶縁キャップは、本体部分の外側形状に対応する構造で構成されることができ、絶縁キャップはさらに、本体部分が曲げ接続部分に取り付けられる状態で本体部部の外側に取り付けられる。結果的に、絶縁キャップは、電圧検出部材が曲げ接続部分に取り付けられる状態を安定的に維持するのに役立つ。
【００３１】
直線状接続部分が電気的に接続されることができる状態で、直線状接続部分が本体部分のトップから延在することに、直線状接続部分は特に限定されてはいない。好ましくは、直線状接続部分は、ワイヤ接続部分である。
【００３２】
その一方で、バッテリーセルは、本願発明による様々な方法でバッテリーモジュールを構成することができる。例えば、２つ又はそれ以上のバッテリーセルは、セルカバーに取り付けられることができ、バッテリーセルがセルカバーにより包囲されることができ、ユニットモジュール及び２つ又はそれ以上のユニットモジュールがバッテリーモジュールを構成するように積層されるように構成することができる。
【００３３】
具体的には、２つ又はそれ以上のバッテリーセルが積層され且つセルカバーにより包囲され、従って、バッテリーセルが安定的に取り付けられる状態で、複数のユニットモジュールを製造することが可能になる。製造されたユニットモジュールは、バッテリーモジュールを構成するために組立てられる。
【００３４】
その一方で、中型又は大型のサイズのバッテリーパックは、高い電力と大きな容量を提供するために、複数のバッテリーセルを使用する。バッテリーモジュールの安全性を確保するため、バッテリーパックを構成するバッテリーモジュールの電圧をより正確に測定することが必要である。
【００３５】
本願の発明の別の態様に従って、所望の電力及び容量を基にしてバッテリーモジュールを結合することにより製造されたバッテリーパックが提供されている。
【００３６】
本願発明によるバッテリーパックは、構造的に安定であるので、バッテリーパックは、好ましく、限られた設置空間を有し且つ例えば振動及び衝撃のような連続的な力にさらされ、その結果、バッテリーパックの稼働中に回路の短絡の発生の強い可能性がある、電気自動車、ハイブリッド電気自動車、又はプラグインハイブリッド電気自動車、電気オートバイ、又は電気自転車のための電源として使用される。もちろん、車両には、中型又は小型のサイズの車両と同様に、例えば、バス及びトラックのような、大型のサイズの車両を含む。
【発明の効果】
【００３７】
上記の記載から明らかなように、本願発明によるバッテリーモジュールは、電圧検出部材が、表面接触の方法で複数の位置でバッテリーセルの電極端子を曲げることにより構成された曲げ接続部分と接触する構造で構成されることにより、稼動及び測定の信頼性が改善される。また、バッテリーモジュールは、電圧検出部材がバッテリーモジュールの上側端部に取り付けられる構造に構成されることにより、水分の蓄積を予防できる。
【００３８】
本願発明の例示的な実施形態が説明目的で開示されているが、当業者は、添付の請求項に開示されているような発明の範囲及び精神から離れることなく、様々な修正、追加及び置換が可能なことを理解しうる。
【００３９】
上述の及び他の目的、特徴及び本願発明の他の利点は、添付の図面と併用された以下の詳細な説明からより明らかに理解されうる。
【図面の簡単な説明】
【００４０】
【図１】通常のポーチ形状の電池を示す斜視図である。
【図２】本願発明の実施形態による電圧検出部材が取り付けられたバッテリーセルを図示する部分斜視図である。
【図３】図２の電圧検出部材が取り付けられた電極端子を示す斜視図である。
【図４】図３の部分拡大図である。
【図５】図３の側面図である。
【図６】図２の電圧検出部材に取り付けられた絶縁トップキャップを示す部分斜視図である。
【図７】本願発明の実施形態によるバッテリーモジュールを示す斜視図である。
【発明を実施するための形態】
【００４１】
ここで、本願発明の例示的な実施形態が添付の図面を参照して、詳細に説明される。しかしながら、本願発明の範囲は、例示された実施形態に限定されないことに注意すべきである。
【００４２】
図２は、本願発明の実施形態による電圧検出部材が取り付けられるバッテリーセルを典型的に示す部分斜視図である。
【００４３】
図２に関して、バッテリーセル１００は、カソード端子１１１及びアノード端子１１２がバッテリーセル１００の対向端部に配置され、電極アセンブリがポーチ形状バッテリーケース１３０に取り付けられる構造に構成される。
【００４４】
ユニットモジュールを構成する２つのバッテリーセル１００及び１０１は、バッテリーセル１００の一端部に配置されているカソード端子１１１と、カソード端子１１１が溶接により配置されるバッテリーセル１００の端部に対応しているバッテリーセル１０１の一端部に配置されているアノード端子１１２と、を相互接続することにより互いに直列に結合され、次にバッテリーセル１００及び１０１の電極端子１１１及び１１２は、電極端子１１１及び１１２が互いに緊密に接触して曲げ接続部分１１０を形成するように折りたたまれる。
【００４５】
電圧検出部材２００は、電圧検出部材２００が曲げ接続部分１１０を包囲するように曲げ接続部分１１０に取り付けられる。絶縁キャップ３００は、電圧検出部材２００の外側に取り付けられる。
【００４６】
図３は、図２の電圧検出部材が取り付けられる電極端子を典型的に示す斜視図であり、図４は図３の部分的拡大図であり、図５は図３の側面図である。
【００４７】
これらの図面と図２に関して、電圧検出部材２００は、曲げ接続部分１１０の上側部分を包囲するように構成された本体部分２１０、曲げ接続部分１１０の側部と本体部分２１０との間に配置された弾性接続部分２２０、並びに本体部分２１０のトップから延在するワイヤ接続部分２３０を含む。
【００４８】
曲げ接続部分１１０の外側電極端子１１２は、銅から形成され、曲げ接続部分１１０の内側電極端子１１１は、アルミニウムから形成される。すなわち、外側電極端子１１２を構成する銅は、内側電極端子１１１を構成するアルミニウムよりも高い延性を有しており、銅がアルミニウムを包囲するように折りたたまれる。結果として、内側電極端子１１１は、外側電極端子１１２により保護される。加えて、曲げ接続部分１１０は、それぞれの電極端子の厚さの４倍に等しい厚さを有している。結果として、電極端子に対する損傷が効果的に防止される。
【００４９】
弾性接続部分２２０は、繰り返し曲げられて、曲げ接続部分１１０の対向側と本体部分２１０で複数の接触点を形成するリーフスプリングにより実現される。
【００５０】
曲げ接続部分１１０及び弾性接続部分２２０の間の接触は、弾性的に達成され、それによりバッテリーセルの電圧を効果的に測定する一方、曲げ接続部分１１０及び弾性接続部分２２０の間の接触信頼性を顕著に改善する。
【００５１】
図６は、図２の電圧検出部材に取り付けられた絶縁トップキャップを典型的に示す部分斜視図である。
【００５２】
図２と一緒に図６に関して、絶縁トップキャップ３００は、さらに、電圧検出部材２００の本体部分２１０の外側に取り付けられる。
【００５３】
絶縁キャップ３００は、本体部分２１０の外側形状に対応する構造で構成される。絶縁キャップ３００は、本体部分２１０が曲げ接続部分１１０に取り付けられる状態で、本体部分２１０の外側にさらに取り付けられる。
【００５４】
接続ワイヤ３１０は、絶縁キャップ３００のトップから上方に延在し、電圧検出部材２００のワイヤ接続部分２３０に接続される。
【００５５】
絶縁キャップ３００は、電圧検出部材２００が曲げ接続部分１１０に取り付けられる状態を安定的に維持するのに役立つ。さらに、絶縁キャップ３００は、電圧検出部材２００及び曲げ接続部分１１０を外側から保護するのに役立つ。
【００５６】
図７は、本願発明の実施形態によるバッテリーモジュールを示す斜視図である。
【００５７】
図７を参照して、バッテリーセルがセルカバー４００により包囲されて、ユニットモジュールを構成して、４つのユニットモジュールがバッテリーモジュール５００を構成するように積層されるように、２つのバッテリーセルは、セルカバー４００に取り付けられる。
【００５８】
セルカバー４００は、セルカバー４００に取り付けられるバッテリーセルの機械的強度を補強するのに役立つ。さらに、セルカバー４００は、バッテリーセルが容易に（示されていない）モジュールケースに取り付けられることを可能にすることに役立つ。
【００５９】
また、電圧検出部材２００は、曲げ接続部分１１０が地面に垂直な状態に積層される曲げ接続部分１１０の上側部分に取り付けられる。結果として、長期間のバッテリーモジュールの使用により電圧検出部材及び曲げ接続部分で発生し凝縮された水分は、重力により地面に落ち、その結果、水分が電圧検出部材及び曲げ接続部分で蓄積されることを防止するので、検出失敗の発生を効果的に防止することが可能である。
【符号の説明】
【００６０】
１０  ポーチ形状のバッテリー
１１  電極リード
１２  電極リード
１３  バッテリー本体
１４  被覆部材
１４ａ  上側端部
１４ｂ  対向側
１４ｃ  下側端部
１６  密閉部材
１００  バッテリーセル
１０１  バッテリーセル
１１０  曲げ接続部分
１１１  カソード端子、内側電極端子
１１２  アノード端子、外側電極端子
１３０  バッテリーケース
２００  電圧検出部材
２１０  本体部分
２２０  弾性接続部分
３００  絶縁キャップ
４００  セルカバー
５００  バッテリーモジュール
【図１】
0005436663.tif 000002
【図２】
0005436663.tif 000003
【図３】
0005436663.tif 000004
【図４】
0005436663.tif 000005
【図５】
0005436663.tif 000006
【図６】
0005436663.tif 000007
【図７】
0005436663.tif 000008